(57)【要約】      （修正有）【課題】より安全性の高い防犯システムを提供する。【解決手段】建物１の窓２及び戸としての玄関ドア３に設置された施錠検知センサー２０，３０と、施錠検知センサー２０，３０が解錠状態を検知してからの時間を計時するタイマー４３と、タイマー４３が設定した時間以上の時間Ｔを計時すると報知を行う報知手段としてのスピーカー４８，５１，５２、表示部４７及びデータ受信装置６と、これらを制御する制御手段としての制御部４１とを備えているとともに、窓２のガラス面材には、合わせガラスが用いられた構成とされている。【選択図】図１
2016189075.tif 000002
【特許請求の範囲】
【請求項１】
建物の窓又は戸に設置された施錠検知センサーと、該施錠検知センサーが解錠状態を検知してからの時間を計時するタイマーと、該タイマーが設定した時間以上の時間を計時すると音、表示及びデータ受信装置に送信する報知データの少なくともいずれか一での報知を行う報知手段と、これらを制御する制御手段とを備えているとともに、
前記窓又は前記戸のガラス面材には、合わせガラスが用いられていることを特徴とする防犯システム。
【請求項２】
前記窓又は前記戸の前記施錠検知センサーは、障子枠に設置されていることを特徴とする請求項１に記載の防犯システム。
【請求項３】
前記窓又は前記戸の前記施錠検知センサーが施錠状態で前記窓が開状態であると検知したときには、システムの異常とみなし、前記報知手段による報知を行うことを特徴とする請求項１又は２に記載の防犯システム。
【請求項４】
前記窓又は前記戸の錠には、空がけ防止用のクレセント錠が用いられていることを特徴とする請求項１乃至３のいずれか１項に記載の防犯システム。
【請求項５】
前記窓又は前記戸の前記施錠検知センサーが解錠状態で該窓又は該戸が開状態であると検知したときには、前記建物の使用者による行為とみなし、前記建物の使用者への注意喚起として、該窓又は該戸のみについて前記表示による報知を行うことを特徴とする請求項１乃至４のいずれか１項に記載の防犯システム。
【請求項６】
前記施錠検知センサーで検知した検知結果に基づいた安全度の度合いを色又は光の点滅で表示する表示部を備えていることを特徴とする請求項１乃至５のいずれか１項に記載の防犯システム。
【請求項７】
前記戸は内側にサムターンを有する戸であり、前記サムターンには、直接的又は間接的に戸用施錠検知用磁石が取り付けられており、前記施錠検知センサーは、磁気センサーから成り、前記戸用施錠検知用磁石の変位から前記戸の解錠・施錠状態を検知することを特徴とする請求項１乃至６のいずれか１項に記載の防犯システム。
【請求項８】
前記窓又は前記戸には、前記報知手段による報知の一時的な延長又は停止を可能とする報知延長・停止手段が設置されていることを特徴とする請求項１乃至７のいずれか１項に記載の防犯システム。
【請求項９】
前記報知延長・停止手段による報知の一時的な延長又は停止がなされるとともに、設定された時間内に前記施錠検知センサーが施錠状態を検知したときは、前記タイマーが設定した時間を計時すると前記報知手段による報知が行われる状態に復帰させる復帰手段が設けられていることを特徴とする請求項８に記載の防犯システム。
【請求項１０】
前記窓又は前記戸の解錠・施錠状態を表示する防犯システム本体装置とは別体の表示手段を備えていることを特徴とする請求項１乃至９のいずれか１項に記載の防犯システム。
【請求項１１】
報知モード切替手段を備え、前記報知データによる報知及び前記表示による報知のみを行う軽警戒モードと、前記音による報知及び前記報知データによる報知、又は、前記音による報知、前記表示による報知、及び前記報知データによる報知の全てを行う重警戒モードとを切替可能とされていることを特徴とする請求項１乃至１０のいずれか１項に記載の防犯システム。
【発明の詳細な説明】
【技術分野】
【０００１】
本発明は、建物内への犯罪者等の侵入を防止する防犯システムに関するものである。
【背景技術】
【０００２】
従来から、建物内への犯罪者等の侵入を防止する防犯システムに関する技術が多く提案され、実施に供されている。
【０００３】
多くの従来技術では、常時防犯を行うには、頻繁に警戒解除や警戒のための警戒設定操作を行わなくてはならず、しかも、施錠忘れなどによる不安全な無施錠状態にしてしまうおそれを拭えないものもあった。
【０００４】
また、居住者等の建物の使用者が建物から外出中のときなどの防犯対策は勿論、居住者等の建物の使用者が建物内に居るときなどの防犯対策も行えるようにすることも重要な課題であった。
【０００５】
一方で、本出願人は、特許文献１に開示されているように、基本的に従来では頻繁に行う警戒解除や警戒のための警戒設定操作を行わなくても常時防犯が行え、施錠忘れなどによる不安全な無施錠状態を予防することができるとともに、居住者等の建物の使用者が建物から外出中のときなどの防犯対策は勿論、居住者等の建物の使用者が建物内に居るときなどの防犯対策も行える防犯システムを開発し、実施している。
【先行技術文献】
【特許文献】
【０００６】
【特許文献１】特開２０１４−１３９７４４号公報
【発明の概要】
【発明が解決しようとする課題】
【０００７】
しかしながら、上記した特許文献１に開示された防犯システムでさえも、満足せず、更なる安全性を求めて、より安全性の高い防犯システムを望む顧客が少なからずいるのも現実問題としてある。
【０００８】
そこで、本発明は、より安全性の高い防犯システムを提供することを目的としている。
【課題を解決するための手段】
【０００９】
前記目的を達成するために、本発明の防犯システムは、建物の窓又は戸に設置された施錠検知センサーと、該施錠検知センサーが解錠状態を検知してからの時間を計時するタイマーと、該タイマーが設定した時間（Ｔ）以上の時間を計時すると音、表示及びデータ受信装置に送信する報知データ（例えば、メール形式の報知データ）の少なくともいずれか一での報知を行う報知手段と、これらを制御する制御手段とを備えているとともに、前記窓のガラス面材には、合わせガラスが用いられていることを特徴とする。
【００１０】
ここで、前記窓又は前記戸の前記施錠検知センサーは、障子枠に設置されているとよい。
【００１１】
また、前記窓又は前記戸の前記施錠検知センサーが施錠状態で前記窓が開状態であると検知したときには、システムの異常とみなし、前記報知手段による報知を行うとよい。
【００１２】
さらに、前記窓又は前記戸の錠には、空がけ防止用のクレセント錠が用いられているとよい。
【００１３】
また、前記窓又は前記戸の前記施錠検知センサーが解錠状態で該窓又は該戸が開状態であると検知したときには、前記建物の使用者による行為とみなし、前記建物の使用者への注意喚起として、該窓又は該戸のみについて前記表示による報知を行うとよい。
【００１４】
さらに、前記施錠検知センサーで検知した検知結果に基づいた安全度の度合いを色又は光の点滅で表示する表示部を備えているとよい。
【００１５】
また、前記戸は内側にサムターンを有する戸であり、前記サムターンには、直接的又は間接的に戸用施錠検知用磁石が取り付けられており、前記施錠検知センサーは、磁気センサーから成り、前記戸用施錠検知用磁石の変位から前記戸の解錠・施錠状態を検知するとよい。
【００１６】
さらに、前記窓又は前記戸には、前記報知手段による報知の一時的な延長又は停止を可能とする報知延長・停止手段が設置されているとよい。
【００１７】
また、前記報知延長・停止手段による報知の一時的な延長又は停止がなされるとともに、設定された時間内に前記施錠検知センサーが施錠状態を検知したときは、前記タイマーが設定した時間を計時すると前記報知手段による報知が行われる状態に復帰させる復帰手段が設けられているとよい。
【００１８】
さらに、前記窓又は前記戸の解錠・施錠状態を表示する防犯システム本体装置とは別体の表示手段を備えていてもよい。
【００１９】
また、報知モード切替手段を備え、前記報知データによる報知及び前記表示による報知のみを行う軽警戒モードと、前記音による報知及び前記報知データによる報知、又は、前記音による報知、前記表示による報知、及び前記報知データによる報知の全てを行う重警戒モードとを切替可能とされていてもよい。
【発明の効果】
【００２０】
このような本発明の防犯システムは、建物の窓又は戸に設置された施錠検知センサーと、施錠検知センサーが解錠状態を検知してからの時間を計時するタイマーと、タイマーが設定した時間（Ｔ）以上の時間を計時すると音、表示及びデータ受信装置に送信する報知データの少なくともいずれか一での報知を行う報知手段と、これらを制御する制御手段とを備えているとともに、窓又は戸のガラス面材には、合わせガラスが用いられた構成とされている。
【００２１】
上記した構成なので、合わせガラスを破るのは難しいため、無施錠の窓や戸からの侵入（４３．４％）に次いで多いガラス破りによる侵入（４０．５％）を防止することができ、より安全性の高い防犯システムとすることができる（数字は、警視庁発表の発生場所別の侵入手口２０１１年を引用）。
【００２２】
そのうえで、万一、無施錠状態となっていても、報知手段により居住者等の建物の使用者に音、表示及びデータ受信装置に送信する報知データの少なくともいずれか一で報知が行われるため、基本的に、従来では頻繁に行う警戒解除や常時警戒のための警戒設定操作を行わなくても、居住者等の建物の使用者は鍵を閉めるという通常の防犯行為をするのみで、常時防犯が行え、施錠忘れなどによる不安全な無施錠状態を予防することができる。
【００２３】
また、建物の窓又は戸が無施錠のときには、報知手段による音、表示及びデータ受信装置に送信する報知データの少なくともいずれか一での報知がなされるため、居住者等の建物の使用者が建物から外出中のときなどの防犯対策は勿論、居住者等の建物の使用者が建物内に居るときなどの防犯対策も行える。
【００２４】
さらに、報知手段による報知は、設定した時間未満ではなされないため、通常の窓や戸の開け閉めに支障をきたすことはない。
【００２５】
また、報知手段による報知は、音、表示及びデータ受信装置に送信する報知データの少なくともいずれか一であるため、音は、居住者等の建物の使用者が建物内に居るときに無施錠を知らせることができるだけでなく、犯罪者を威嚇して犯行を抑止させることができ、表示は、例えば、屋内に表示装置を設置すれば、居住者等の建物の使用者が建物内に居るときに無施錠を知らせることができ、屋外に警告灯等の表示装置を設置すれば、犯罪者等の侵入者を威嚇して犯行を抑止させることができ、報知データは、携帯端末などのデータ受信装置により、離れた場所にいる居住者等の建物の使用者に窓又は戸が無施錠であることを知らせることができる。
【００２６】
なお、例えば、音による報知や報知データによる報知では、居住者等の建物の使用者がトイレにいたりして気付かないケースもあるため、設定した間隔で複数回行うようにすることもでき、より効果的である。
【００２７】
ここで、窓又は戸の施錠検知センサーは、障子枠に設置されている場合は、ガラス面材に設置される場合に比べて、施錠検知センサーが目立たないので、意匠性を確保したうえで、防犯対策を行うことができる。
【００２８】
また、窓又は戸の施錠検知センサーが施錠状態で窓が開状態であると検知したときには、システムの異常とみなし、報知手段による報知を行う場合は、窓又は戸の開閉検知用磁石が落下して外れた状態となったときなどのシステム上の異常時を居住者等の建物の使用者に知らせることができる。
【００２９】
さらに、窓又は戸の錠には、空がけ防止用のクレセント錠が用いられている場合は、人為的なミスである窓又は戸のクレセント錠の空がけ状態を排除することができる。
【００３０】
また、窓又は戸の施錠検知センサーが解錠状態で窓又は戸が開状態であると検知したときには、建物の使用者による行為とみなし、建物の使用者への注意喚起として、その窓又は戸のみについて表示による報知を行う場合は、窓又は戸の施錠検知センサーが解錠状態で窓又は戸が開状態であるというのは、居住者等の建物の使用者が窓際又は戸際に居て換気を行っていたり、ベランダで洗濯物を干す作業を行っていたりして、居住者等の建物の使用者が監視している状態となっている可能性が高いが、何かの急用で、そのまま外に出かけてしまうケースなども皆無ではないので、例えば、報知データによる報知で注意喚起をするとよい。
【００３１】
そのうえ、対象となる窓又は戸のみについて報知を行い、他の窓や戸は警戒状態となっているので、わざわざ防犯システム本体装置まで設定切替操作をしに行く必要がなく、非常に使い勝手が良い。
【００３２】
さらに、施錠検知センサーで検知した検知結果に基づいた安全度の度合いを色又は光の点滅で表示する表示部を備えている場合は、表示部の色や光の点滅を見るだけで、一目で安全度の度合いを確認することができる。
【００３３】
また、戸は内側にサムターンを有する戸であり、サムターンには、直接的又は間接的に戸用施錠検知用磁石が取り付けられており、施錠検知センサーは、磁気センサーから成り、戸用施錠検知用磁石の変位から戸の解錠・施錠状態を検知する場合は、戸の解錠・施錠状態を簡易に検知することができる。
【００３４】
さらに、窓又は戸には、報知手段による報知の一時的な延長又は停止を可能とする報知延長・停止手段が設置されている場合は、例えば、ベランダでの物干し作業や玄関での来客、掃除等の時に、いちいち防犯システム本体装置まで行って警戒解除の操作をしなくても、その場で延長又は停止させることができ、非常に使い勝手が良い。
【００３５】
特に、夏場や冬場は建物の屋内はエアコンなどの冷暖房機器を用いているケースが多いが、ベランダで洗濯物を干す作業を行っていたり、庭仕事をしていたりしているときなどに、窓又は戸を施錠せず閉状態としても、万一、設定した時間経てば報知してくれるので、そのまま忘れることもない。
【００３６】
また、報知延長・停止手段による報知の一時的な延長又は停止がなされるとともに、設定された時間内に施錠検知センサーが施錠状態を検知したときは、タイマーが設定した時間を計時すると報知手段による報知が行われる状態に復帰させる復帰手段が設けられている場合は、再度施錠されれば、自動的にリセットされるので、報知の一時的な延長又は停止の解除忘れがない。
【００３７】
さらに、窓又は戸の解錠・施錠状態を表示する防犯システム本体装置とは別体の表示手段を備えている場合は、例えば、玄関や居間などに表示手段を設置すれば、一目で建物全体の施錠状態を確認することができる。
【００３８】
すなわち、防犯システム本体装置が設置されている場所以外でも、居住者等の建物の使用者は、一目で建物全体の施錠状態を確認することができ、より防犯性を高めることができる。
【００３９】
また、報知モード切替手段を備え、報知データによる報知及び表示による報知のみを行う軽警戒モードと、音による報知及び報知データによる報知、又は、音による報知、表示による報知、及び報知データによる報知の全てを行う重警戒モードとを切替可能とされている場合は、例えば、昼間などは軽警戒モードとなり、夜間や外出中などには重警戒モードとなるように設定すれば、施錠し忘れによる音での他の家族の睡眠妨害や近所迷惑などを極力少なくしながら、防犯対策が行える。
【図面の簡単な説明】
【００４０】
【図１】実施例の防犯システムを備えた建物の概略構成を示す説明図である。
【図２】実施例の建物の内部から見た窓の部分の詳細を示す説明図である。
【図３】実施例の建物の外部から見た窓の部分の詳細を示す説明図である。
【図４】（ａ）は、実施例の窓が施錠状態のときを示す説明図であり、（ｂ）は、実施例の窓が解錠状態のときを示す説明図である。
【図５】（ａ）は、実施例の窓が解錠状態で閉状態のときを示す説明図であり、（ｂ）は、実施例の窓が開状態のときを示す説明図である。
【図６】実施例の建物の内部から見た玄関ドアの部分の詳細を示す説明図である。
【図７】実施例の防犯システムがおかれる状態の例を示す説明図である。
【図８】実施例の防犯システムがおかれる状態の例を示す説明図である。
【発明を実施するための形態】
【００４１】
以下、本発明を実施するための形態を、図面に示す実施例に基づいて説明する。
【実施例】
【００４２】
先ず、実施例の構成について説明する。
【００４３】
図１は、実施例の防犯システムを備えた建物１の概略構成を示している。
【００４４】
この実施例の防犯システムは、建物１の窓２に設置された施錠検知センサー２０と、建物１の戸としての玄関ドア３に設置された施錠検知センサー３０と、建物１内に設置された防犯システム本体装置４とから主に構成されている。
【００４５】
ここで、防犯システム本体装置４内には、全体の制御を行う制御手段としての制御部４１が設けられている。
【００４６】
そして、窓２が解錠しており、施錠検知センサー２０がその解錠状態を検知すると、内蔵された発信器（図示せず）が防犯システム本体装置４に設けられた受信器４２に信号を送り、タイマー４３が設定した時間Ｔを計時すると、防犯システム本体装置４に内蔵された報知手段としてのスピーカー４８から通知音や警告音などの音が発せられ、報知が行われる。
【００４７】
なお、制御部４１が発信器４４から施錠検知センサー２０に内蔵された報知手段としてのスピーカー５１の受信器（図示せず）に信号を送り、スピーカー５１からも通知音や警告音などの音が発せられ、報知が行われるように設定することもできる。
【００４８】
そのうえで、報知のレベルに応じ、施錠忘れ等の未施錠のときは、この防犯システム本体装置４のスピーカー４８だけから通知音を発し、この未施錠の状態で、時間Ｔから時間Ｔ１経つと、犯罪者等の侵入者への威嚇を主たる目的として、スピーカー４８からは勿論、スピーカー５１や後述のスピーカー５２からも警告音を発するように設定されている。
【００４９】
すなわち、特に、防犯システム本体装置４を人が多く集まるリビング等に設置すれば、離れた部屋の情報も気付くことができる。
【００５０】
ここで、通知音とは、居住者Ｍ等の建物１の使用者に注意喚起するためのものなので、７０ｄＢ程度の比較的長周期のストレスの少ない音のことであり、警告音とは、犯罪者等の侵入者への威嚇を主たる目的としているので、７０ｄＢ以上の短周期のストレスを与え威嚇する音のことである。
【００５１】
また、玄関ドア３が解錠しており、施錠検知センサー３０がその解錠状態を検知すると、内蔵された発信器（図示せず）が防犯システム本体装置４に設けられた受信器４２に信号を送り、タイマー４３が設定した時間Ｔを計時すると、防犯システム本体装置４に内蔵された報知手段としてのスピーカー４８から通知音が発せられ、報知が行われる。
【００５２】
なお、制御部４１が発信器４４から施錠検知センサー２０に内蔵された報知手段としてのスピーカー５２の受信器（図示せず）に信号を送り、スピーカー５２からも通知音や警告音などの音が発せられ、報知が行われるように設定することもできる。
【００５３】
さらに、制御部４１は、これらの信号を、インターネットや電話回線などのネットワークＮに接続されたゲートウェイやルータなどのネットワーク接続装置４５を介して、居住者Ｍが身に付けている携帯電話や専用通信機などの報知手段としてのデータ受信装置６にも送り、メール形式などで報知データによる報知を行う。
【００５４】
なお、初期設定により、玄関ドア３と窓２の施錠忘れ両方について報知データによる報知をするようにしてもよいし、玄関ドア３の施錠忘れのみについて報知データによる報知をするようにしてもよい。
【００５５】
また、施錠検知センサー２０，３０には、報知の一時的な延長又は停止を可能とする報知延長・停止手段としての報知延長・停止ボタン２１，３１がそれぞれ設けられている。
【００５６】
これら報知延長・停止ボタン２１，３１は、１回押すと設定した時間Ｔよりも長い時間Ｔ’に報知時間が延長され、２回押すとこの延長設定が解除されるようになっている。
【００５７】
なお、施錠検知センサー２０，３０及び防犯システム本体装置４には、窓２又は玄関ドア３を再度施錠すると、自動的に初期状態に復帰する復帰手段としての復帰回路が組み込まれている。
【００５８】
さらに、玄関ドア３の横等には、防犯システム本体装置４の発信器４４から送られる信号を受信する受信器（図示せず）が内蔵された表示手段としてのモニター７が設けられており、窓２と玄関ドア３の施錠状態が一目で分かるように表示されるようになっている。
【００５９】
なお、この表示手段としてのモニター７は、必要に応じ、複数台設けてもよく、例えば、リビングや寝室に設けてもよい。
【００６０】
また、この表示手段としてのモニター７としては、比較的安価なタブレットパソコンなどを利用することができ、この場合、音による報知も行えるように設定することができる。
【００６１】
次に、窓２に設けられた施錠検知センサー２０について詳細に説明する。
【００６２】
窓２は、図２及び図３に示したように、２枚のガラス面材２Ａ，２Ａから成る引き違い窓である。
【００６３】
ここで、ガラス面材２Ａ，２Ａには、２枚以上のガラスを強靭な樹脂膜で接着し一体化して成る合わせガラスが用いられており、容易にはガラス破りを行えないようになっている。
【００６４】
また、施錠検知センサー２０は、クレセント錠２Ｂが取り付けられている側のガラス面材２Ａの障子枠２ａに設置されている。
【００６５】
この施錠検知センサー２０は、その下部に、施錠検知用磁気センサー２０ａが組み込まれており、図４（ａ）及び図４（ｂ）に示したように、磁気の変動感知により、施錠検知用磁石２３を埋め込んだり貼り付けたりして設けたクレセント錠２Ｂの解錠・施錠状態を検知することができる。
【００６６】
また、この施錠検知センサー２０は、その上部に、窓開閉検知用磁気センサー２０ｂが組み込まれているとともに、ガラス面材２Ａの内部側に窓開閉検知用磁石２２が貼設されており、図５（ａ）及び図５（ｂ）に示したように、磁気の変動感知により、窓２の開閉も検知することができる。
【００６７】
なお、施錠検知センサー２０が施錠状態で窓２が開状態であると検知したときには、システムの異常とみなし、報知手段としてのスピーカー４８，５１，５２又はデータ受信装置６による報知を行うようになっている。
【００６８】
ここで、クレセント錠２Ｂとしては、空がけ防止用のものが用いられている。
【００６９】
なお、３枚以上のガラス面材から成り、左右のいずれか片側にクレセント錠を有するタイプの引き違い窓でも、略同様の構成で実施することができる。
【００７０】
次に、戸としての玄関ドア３に設けられた施錠検知センサー３０について詳細に説明する。
【００７１】
この玄関ドア３は、図６に示したように、ドアノブ３３の近傍にサムターン３２が設けられた汎用されるものである。
【００７２】
そして、サムターン３２の横に磁気センサーから成る施錠検知センサー３０が設けられている。
【００７３】
さらに、サムターン３２には、戸用施錠検知用磁石８１が組み込まれたり貼り付けられたりして取り付けられている。
【００７４】
これにより、施錠検知センサー３０が、戸用施錠検知用磁石８１の変位を磁気の変化として感知し、玄関ドア３の解錠・施錠状態を検知する。
【００７５】
また、施錠検知センサー３０として、磁気検知機能だけでなく、振動検知機能も有するものを用いれば、犯罪者がドリルなどの道具を使って鍵自体を壊すなどの手口も早期に検知でき、より防犯性能を高めることができる。
【００７６】
次に、防犯システム本体装置４に設けられた表示部４７について詳細に説明する。
【００７７】
この表示部４７は、内部に発光ダイオードなどの光素子が組み込まれており、施錠検知センサー２０，３０で検知した検知結果に基づいた安全度の度合いを色と光の点滅とで表示する。
【００７８】
具体的には、一例として以下のように設定される。
【００７９】
玄関ドア３の施錠中、窓２の施錠中、窓２が閉状態であるときは、表示部４７を青色で点灯させる。この場合、安全度が万全と分かる。
【００８０】
玄関ドア３の施錠中、窓２の施錠中、窓２が開状態であるときは、表示部４７をマゼンダ色で点滅させる。この場合、窓用開閉検知用磁石２２が落下するなどして外れたおそれが想定される。
【００８１】
玄関ドア３の施錠中、窓２の解錠中、窓２が閉状態であるときは、表示部４７を設定時間赤色で点灯させ、この設定時間経過後に赤色で点滅させる。この場合、窓２が解錠状態になっているので時間が経つほどに危険だと分かる。
【００８２】
玄関ドア３の施錠中、窓２の解錠中、報知延長・停止ボタン２１を押した状態で窓２が閉状態であるときは、表示部４７を赤色で点灯させる。この場合、報知延長・停止ボタン２１を押したので、報知は時間Ｔ’に延長されるが、表示部４７が赤色であることを見れば窓２の状態を確認しなければならないことが分かるし、これを見過ごしていたとしても、延長された時間Ｔ’後に報知されることとなるので、いずれにせよ気付くことができる。なお、延長時間Ｔ’前に施錠すれば、報知延長・停止ボタン２１による延長処理はキャンセルされるようになっている（図７を参照）。よって、居住者Ｍ等の建物１の使用者は、わざわざ防犯システム本体装置４の所まで行かなくとも、その場で報知を延長することができ、鍵を閉めれば元の常時警戒の状態に戻るので、操作をする必要が殆ど無くなり、煩わしさがない。この機能は、ベランダや庭で作業をするときで、窓２は閉めておきたいとき（例えば、エアコン稼働中等）に特に有効である。
【００８３】
玄関ドア３の施錠中、窓２の解錠中、窓２が開状態であるときは、表示部４７を黄色で点灯させる。これは、居住者Ｍ等の建物１の使用者の意思による窓開けとみなし、極力、音による報知はせずに、表示部４７の表示のみで注意喚起を促す意図である。窓開けによる換気や、通風のニーズは非常に高く、従来から、警戒中の防犯システムの解除を行ってでも窓を開ける人が過半数を占めることに由来する処置である。また、このようにすれば、居住者Ｍ等の建物１の使用者は、窓開けを比較的自由にすることができ、煩わしさがないという利点もある（図８を参照）。
【００８４】
玄関ドア３の解錠中のときは、窓２がいかなる状態であっても、表示部４７を赤色で点灯させ、所定の時間Ｔ経過すれば報知するように設定してある。この場合、玄関ドア３の施錠忘れでそのまま外出してしまうケースもあるため、音だけでなく、メール送信等による報知も行うように設定すれば、いかなる状態であっても、その状態に気付くことが可能である。また、報知延長・停止ボタン３１を押した場合では、設定された延長時間Ｔ’内は赤色で点灯させるが、この設定時間Ｔ’経過後には赤色で点滅させて、音やメール送信等による報知で、警戒すべき注意喚起を行う。報知延長・停止ボタン３１を押した場合でも、再度施錠をすれば、報知延長・停止ボタン３１による延長処理はリセットされ、再度玄関ドア３を解錠した場合には、通常の所定時間Ｔで報知をするようになっている。よって、居住者Ｍ等の建物１の使用者は、特別な操作をする必要なく、鍵を閉めるという行為だけで、延長処理をキャンセルすることができ、システム操作をし忘れることもない。なお、延長時間Ｔ’内に施錠した場合は、通知音は発しないようになっている。
【００８５】
なお、表示部４７の色やパターンの設定は、使用者が分かりやすいように初期設定すればよい。
【００８６】
次に、実施例の作用効果について説明する。
【００８７】
このような実施例の防犯システムは、建物１の窓２及び戸としての玄関ドア３に設置された施錠検知センサー２０，３０と、施錠検知センサー２０，３０が解錠状態を検知してからの時間を計時するタイマー４３と、タイマー４３が設定した時間以上の時間Ｔを計時すると報知を行う報知手段としてのスピーカー４８，５１，５２、表示部４７及びデータ受信装置６と、これらを制御する制御手段としての制御部４１とを備えているとともに、窓２のガラス面材２Ａには、合わせガラスが用いられた構成とされている。
【００８８】
上記した構成なので、窓２のガラス面材２Ａに用いられる合わせガラスを破るのは難しいため、無施錠の窓や戸からの侵入（４３．４％）に次いで多いガラス破りによる侵入（４０．５％）を防止することができ、より安全性の高い防犯システムとすることができる（数字は、警視庁発表の発生場所別の侵入手口２０１１年を引用）。
【００８９】
そのうえで、万一、無施錠状態（解錠状態）となっていても、報知手段としてのスピーカー４８，５１，５２、表示部４７及びデータ受信装置６により居住者Ｍ等の建物１の使用者に音、表示及び報知データの少なくとも一つで報知が行われるため、基本的に、従来では頻繁に行う警戒解除や常時警戒のための警戒設定操作を行わなくても、居住者Ｍ等の建物１の使用者は鍵を閉めるという通常の行為をするのみで、常時防犯が行え、施錠忘れなどによる不安全な無施錠状態を予防することができる。
【００９０】
また、建物１の窓２又は戸としての玄関ドア３が無施錠のときには、報知手段としてのスピーカー４８，５１，５２、表示部４７及びデータ受信装置６による音、表示及び報知データのいずれかでの報知がなされるため、居住者Ｍ等の建物１の使用者が建物１から外出中のときなどの防犯対策は勿論、居住者Ｍ等の建物１の使用者が建物１内に居るときなどの防犯対策も行える。
【００９１】
さらに、報知手段としてのスピーカー４８，５１，５２、表示部４７及びデータ受信装置６による報知は、設定した時間未満ではなされないため、通常の窓２や玄関ドア３の開け閉めに支障をきたすことはない。
【００９２】
そのうえ、報知手段としてのスピーカー４８，５１，５２、表示部４７及びデータ受信装置６による報知は、音、表示及び報知データであるため、音は、居住者Ｍ等の建物１の使用者が建物１内に居るときに無施錠を知らせることができるだけでなく、犯罪者等の侵入者を威嚇して犯行を抑止させることができ、表示は、屋内の表示部４７により、居住者Ｍ等の建物１の使用者が建物１内に居るときに視覚的に無施錠を知らせることができ、報知データは、携帯端末などのデータ受信装置６により、離れた場所にいる居住者Ｍ等の建物１の使用者に窓２又は玄関ドア３が無施錠であることを知らせることができる。
【００９３】
なお、例えば、音による報知や報知データによる報知では、居住者Ｍ等の建物１の使用者がトイレにいたりして気付かないケースもあるため、設定した間隔で複数回行うようにすることもでき、より効果的である。
【００９４】
また、表示による報知では、屋外に警告灯等の表示装置を設置すれば、犯罪者等の侵入者を威嚇して犯行を抑止させることもできる。
【００９５】
ここで、窓２の施錠検知センサー２０は、障子枠２ａに設置されている。
【００９６】
このため、ガラス面材２Ａに設置される場合に比べて、施錠検知センサー２０が目立たないので、意匠性を確保したうえで、防犯対策を行うことができる。
【００９７】
また、窓２の施錠検知センサー２０が施錠状態で窓２が開状態であると検知したときには、システムの異常とみなし、報知手段としてのスピーカー４８，５１，５２又はデータ受信装置６による報知を行う。
【００９８】
このため、窓開閉検知用磁石２２が落下して外れた状態となったときなどのシステム上の異常時を居住者Ｍ等の建物１の使用者に知らせることができる。
【００９９】
さらに、窓２の錠には、空がけ防止用のクレセント錠２Ｂが用いられている。
【０１００】
このため、人為的なミスである窓のクレセント錠２Ｂの空がけ状態を排除することができる。
【０１０１】
また、窓２の施錠検知センサー２０が解錠状態で窓２が開状態であると検知したときには、居住者Ｍ等の建物１の使用者による行為とみなし、居住者Ｍ等の建物１の使用者への注意喚起として、その窓２のみについて表示による報知を行うように設定されている。
【０１０２】
このため、窓２の施錠検知センサー２０が解錠状態で窓２が開状態であるというのは、居住者Ｍ等の建物１の使用者が窓２の窓際に居て換気を行っていたり、ベランダで洗濯物を干す作業を行っていたりして、居住者Ｍ等の建物１の使用者が監視している状態となっている可能性が高いが、何かの急用で、そのまま外に出かけてしまうケースなども皆無ではないので、例えば、報知データによる報知で注意喚起をするとよい。
【０１０３】
そのうえ、対象となる窓２のみについて報知を行い、他の窓や戸としての玄関ドア３等は警戒状態となっているので、わざわざ防犯システム本体装置４まで設定切替操作をしに行く必要がなく、非常に使い勝手が良い。
【０１０４】
さらに、施錠検知センサー２０，３０で検知した検知結果に基づいた安全度の度合いを色や光の点滅で表示する表示部４７を備えている。
【０１０５】
このため、表示部４７の色や点滅を見るだけで、一目で安全度の度合いを確認することができる。
【０１０６】
また、戸としての玄関ドア３は内側にサムターン３２を有するものであり、サムターン３２には、戸用施錠検知用磁石８１が組み込まれており、施錠検知センサー３０は、磁気センサーから成り、戸用施錠検知用磁石８１の変位から玄関ドア３の解錠・施錠状態を検知する。
【０１０７】
このため、戸としての玄関ドア３の解錠・施錠状態を簡易に検知することができる。
【０１０８】
さらに、窓２及び戸としての玄関ドア３には、報知手段としてのスピーカー４８，５１，５２又はデータ受信装置６による報知の一時的な延長又は停止を可能とする報知延長・停止手段としての報知延長・停止ボタン２１，３１がそれぞれ設置されている。
【０１０９】
このため、例えば、ベランダでの物干し作業や玄関での来客、掃除等の時に、いちいち防犯システム本体装置４まで行って警戒解除の操作をしなくても、その場で延長又は停止させることができ、非常に使い勝手が良い。
【０１１０】
特に、夏場や冬場は建物１の屋内はエアコンなどの冷暖房機器を用いているケースが多いが、ベランダで洗濯物を干す作業を行っていたり、庭仕事をしていたりしているときなどに、窓２を施錠せず閉状態としても、万一、設定した時間Ｔ’経てば報知してくれるので、そのまま忘れることもない。
【０１１１】
さらに、報知延長・停止手段としての報知延長・停止ボタン２１，３１による報知の一時的な延長又は停止がなされるとともに、設定された時間Ｔ’内に施錠検知センサーが施錠状態を検知したときは、タイマー４３が設定した時間を計時すると報知手段としてのスピーカー４８，５１，５２、表示部４７及びデータ受信装置６のいずれかによる報知が行われる状態に復帰させる復帰手段としての復帰回路が設けられている。
【０１１２】
このため、再度施錠されれば、自動的にリセットされるので、報知の一時的な延長又は停止の解除忘れがない。
【０１１３】
さらに、窓２及び戸としての玄関ドア３の横に解錠・施錠状態を表示する防犯システム本体装置４とは別体の表示手段としてのモニター７を備えている。
【０１１４】
このため、例えば、施錠し忘れで玄関に戻ってくれば、モニター７を見ることで、一目で建物１全体の施錠状態を確認することができる。
【０１１５】
すなわち、防犯システム本体装置４が設置されている場所以外でも、居住者Ｍ等の建物１の使用者は、一目で建物１全体の施錠状態を確認することができ、より防犯性を高めることができる。
【０１１６】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【０１１７】
例えば、上記した実施例では、本発明の説明を簡単に行うため、建物１の構成を簡易なものとしたが、これに限定されず、窓や戸が多いより複雑な構成で実施してもよい。
【０１１８】
また、上記した実施例では、簡易な設定で実施したが、これに限定されない。
【０１１９】
例えば、この音による報知と、表示による報知と、報知データによる報知との全てを行うのは、防犯システム本体装置４に設けられた報知モード切替手段としての報知モード切替ボタン４６をオンにした重警戒モードとし、報知モード切替ボタン４６をオフにしておくと、軽警戒モードに切り替わり、表示による報知及び報知データによる報知のみが行われるようにするなどして実施してもよい。
【０１２０】
この場合、この報知モードの切替設定は、報知モード切替ボタン４６での手動によるものだけでなく、時間により切り替わる自動のものに設定することもできる。これにより、例えば、昼間などは軽警戒モードとなり、夜間や外出中などには重警戒モードとなるように設定すれば、施錠し忘れによる音での他の家族の睡眠妨害や近所迷惑などを極力少なくしながら、防犯対策が行える。
【０１２１】
また、報知モード切替ボタン４６は、オン・オフで切り替える１つボタンの方式だけでなく、軽警戒ボタンと重警戒ボタンとを別個に設けた２つボタンの方式で実施してもよい。
【０１２２】
いずれにせよ、居住者Ｍ等の建物１の使用者が、どちらのモードになっているか分かるようになっていればよい。
【０１２３】
さらに、上記した実施例では、窓２を引き違い窓として実施したが、これに限定されず、開き窓等のその他のタイプの窓で実施してもよい。
【符号の説明】
【０１２４】
１      建物
２      窓
２ａ    障子枠
２Ａ    ガラス面材
２Ｂ    クレセント錠（錠）
２０    施錠検知センサー
２０ａ  施錠検知用磁気センサー
２０ｂ  窓開閉検知用磁気センサー
２１    報知延長・停止ボタン（報知延長・停止手段）
２２    窓開閉検知用磁石
２３    施錠検知用磁石
３      玄関ドア（戸）
３０    施錠検知センサー
３１    報知延長・停止ボタン（報知延長・停止手段）
３２    サムターン
３３    ドアノブ
４      防犯システム本体装置
４１    制御部（制御手段）
４２    受信器
４３    タイマー
４４    発信器
４５    ネットワーク接続装置
４６    報知モード切替ボタン（報知モード切替手段）
４７    表示部（報知手段）
４８    スピーカー（報知手段）
５１    スピーカー（報知手段）
５２    スピーカー（報知手段）
６      データ受信装置（報知手段）
７      モニター（表示手段）
８１    戸用施錠検知用磁石
Ｍ      居住者（建物の使用者）
Ｎ      ネットワーク
【図１】
2016189075.tif 000003
【図２】
2016189075.tif 000004
【図３】
2016189075.tif 000005
【図４】
2016189075.tif 000006
【図５】
2016189075.tif 000007
【図６】
2016189075.tif 000008
【図７】
2016189075.tif 000009
【図８】
2016189075.tif 000010